(57)【要約】【課題】  組立棚用の線材棚板及び組立棚の高剛性、耐荷重性能、組立容易性等の優れた利点を損なうことなく、所望のサイズに伸縮自在とすることのできる組立棚用の伸縮式線材棚板及び組立棚を提供する。【解決手段】  第１棚板部材（４）のスライドレール部（１０ａ，１０ｂ）において第２棚板部材（６）の相対向する下部線材（３４ａ，３４ｂ）を摺動自在とし且つ所望位置で固定具（１２）によって固定自在とすることにより、棚板長さを伸縮自在とするようにした。スライドレール部（１０ａ，１０ｂ）の間に補強線材（２８）を横架してなることが好ましい。【選択図】  図１
0003103279.tif 000002
【実用新案登録請求の範囲】
【請求項１】
矩形状のフレーム線材（２０）と、該フレーム線材の縦横に架設された格子状線材（２２ａ，２２ｂ）と、該フレーム線材（２０）の一側端に接する２隅に設けられた下方に拡径する円筒状受部（８ａ，８ｂ）と、該２隅の円筒状受部（８ａ，８ｂ）に接する該フレーム線材（２０）の３側端（２０ａ，２０ｂ，２０ｃ）から下方に略平行に離間して配設された下部線材（２４ａ，２４ｂ，２４ｃ）と、該下部線材（２４ａ，２４ｂ，２４ｃ）と該フレーム線材（２０）とに交互に当接する波形線材（２６ａ，２６ｂ，２６ｃ）と、相対向する該下部線材（２６ａ，２６ｂ）の内側面に夫々設けられた上方を開口端とした断面コ字状、Ｕ字状又はＶ字状の一組のスライドレール部（１０ａ，１０ｂ）と、該スライドレール部に付設された固定具（１２）とを備える第１棚板部材（４）及び前記第１棚板部材のスライドレール部（１０ａ，１０ｂ）に対応した幅の矩形状のフレーム線材（３０）と、該フレーム線材（３０）の縦横に架設された格子状線材（３２ａ，３２ｂ）と、該フレーム線材（３０）の他側端に接する２隅に設けられた下方に拡径する円筒状受部（８ｃ，８ｄ）と、該２隅の円筒状受部（８ｃ，８ｄ）に接する該フレーム線材（３０）の３側端（３０ａ，３０ｂ，３０ｄ）から下方に略平行に離間し、前記第１棚板部材（４）のスライドレール部（１０ａ，１０ｂ）に対応した高さに配設された下部線材（３４ａ，３４ｂ，３４ｄ）と、該下部線材（３４ａ，３４ｂ，３４ｄ）と該フレーム線材（３０）とに交互に当接する波形線材（３６ａ，３６ｂ，３６ｄ）とを備える第２棚板部材（６）からなり、該第１棚板部材（４）のスライドレール部（１０ａ，１０ｂ）において該第２棚板部材（６）の相対向する下部線材（３４ａ，３４ｂ）を摺動自在とし且つ所望位置で固定具（１２）によって固定自在とすることにより、棚板長さを伸縮自在としたことを特徴とする組立棚用の伸縮式線材棚板。
【請求項２】
前記一組のスライドレール部（１０ａ，１０ｂ）の間に補強線材（２８）を横架してなることを特徴とする請求項１記載の組立棚用の伸縮式線材棚板。
【請求項３】
前記一組のスライドレール部（１０ａ，１０ｂ）は前記第１棚板部材（４）の全長の約２／３の長さを有することを特徴とする請求項１又は２記載の組立棚用の伸縮式線材棚板。
【請求項４】
前記各線材は金属製線材であることを特徴とする請求項１〜３のいずれか１項記載の組立棚用の伸縮式線材棚板。
【請求項５】
前記固定具（１２）はスライドレール部の下端面に螺着するネジであることを特徴とする請求項１〜４のいずれか１項記載の組立棚用の伸縮式線材棚板。
【請求項６】
外周面上の所定間隔毎に係合溝部（５３）が刻設された４本の長尺円筒状支柱（５２）と、該４本の長尺円筒状支柱の係合溝部（５３）に係合するように内周面に係合凸条を有し且つ外周面が下方に拡径された一組の短尺半円筒体からなる複数の棚板支持用嵌着体（５５）と、前記請求項１〜５のいずれか１項記載の伸縮式線材棚板（２）とからなり、該４本の長尺円筒状支柱（５２）の所望位置に棚板支持用嵌着体（５５）を嵌着し、該嵌着した棚板支持用嵌着体（５５）に該伸縮式線材棚板（２）の前記円筒状受部（８ａ，８ｂ，８ｃ，８ｄ）を夫々嵌入させることで、所望の段数の棚板を有する棚に組み立てることができると共に、棚板長さを伸縮自在としたことを特徴とする伸縮式組立棚。
【考案の詳細な説明】
【技術分野】
【０００１】
本考案は、組立棚用の棚板及び組立棚に係り、特には、金属製ワイヤ等の線材を格子状乃至網状に組んで溶接等により接合した線材棚板及びこれを用いた組立棚に関する。
【背景技術】
【０００２】
従来より、金属製ワイヤ等の線材を格子状乃至網状に組んで溶接等により接合した線材棚板を用いた組立棚が家庭用、業務用を問わず広く利用されている。その基本構造は、外周面上の所定間隔毎に係合溝部が刻設された４本の長尺円筒状支柱と、該４本の長尺円筒状支柱の係合溝部に係合するように内周面に係合凸条を有し且つ外周面が下方に拡径された一組の短尺半円筒体（スリーブ半体とも呼ばれる）からなる複数の棚板支持用嵌着体（支持用スリーブとも呼ばれる）と、下方に拡径する円筒状受部を４隅に有する線材を格子状に組んで接合した線材棚板とからなり、該４本の長尺円筒状支柱の所望位置に棚板支持用嵌着体を嵌着し、該嵌着した棚板支持用嵌着体に該線材棚板の４隅の円筒状受部を夫々嵌入させることで、所望の段数の線材棚板を備える組立棚として組み立てることができるというものである（例えば、特許文献１及び特許文献２等参照）。
【０００３】
このような線材棚板を用いた組立棚は、その構造上の剛性が高く、耐荷重性能に優れ、しかも組立が容易で取り扱い易いという利点があるのみならず、種々のデザインやサイズで様々なバリエーションの棚板が予め用意されており（例えば、特許文献３及び特許文献４等参照）、これらを用いて所望のサイズ及びデザインで所望の段数の棚板を備える組立棚を組み立てることができるため、非常に利便性の高いものである。
【０００４】
しかしながら、様々なバリエーションの棚板を予め用意しておくと言っても、例えば１ｃｍ毎に異なるサイズの棚板を用意するとすれば、極めて煩雑で膨大な量の品揃えとなり、多品種のための製造コストも掛かり、販売店での展示場所にも苦慮することとなり、また、これを購入する需要者にとってみても複雑過ぎて選択に困惑することとなるから、このような細分化されたサイズ毎に棚板を予め用意しておくことは現実的ではない。他方、現実の組立棚が設置される場所は、家庭や職場の種々様々の場所に置かれ得るものであるため、設置場所によっては少しだけ短かったり或いは長かったりすることは多々起こり得るので問題となる。
【０００５】
ここで、従来より大小異径パイプを摺動自在に差し合わせてなる伸縮式のパイプ棚は知られているが（例えば、特許文献５及び特許文献６等参照）、線材棚板を用いた組立棚の場合とでは基本的構造が大きく異なるため、これをそのまま適用することは不可能である。また、線材棚板を伸縮自在とすることで、高剛性、耐荷重性能、組立容易性等の優れた利点を損なってしまうことは好ましくない。
【特許文献１】特開平５−１７６８１６号公報
【特許文献２】実用新案登録第３０９５６６８号公報
【特許文献３】意匠登録第１０８４８２０号公報
【特許文献４】意匠登録第１１２３９０６号公報
【特許文献５】実開平２−１１９０４７号公報
【特許文献６】実公平６−２０４２２号公報
【考案の開示】
【考案が解決しようとする課題】
【０００６】
本考案は、上記問題点に鑑みて為されたものであり、組立棚用の線材棚板及び組立棚の高剛性、耐荷重性能、組立容易性等の優れた利点を損なうことなく、所望のサイズに伸縮自在とすることのできる組立棚用の伸縮式線材棚板及び組立棚を提供することを目的とする。
【課題を解決するための手段】
【０００７】
上記課題を解決するために、本考案の組立棚用の伸縮式線材棚板は、矩形状のフレーム線材と、該フレーム線材の縦横に架設された格子状線材と、該フレーム線材の一側端に接する２隅に設けられた下方に拡径する円筒状受部と、該２隅の円筒状受部に接する該フレーム線材の３側端から下方に略平行に離間して配設された下部線材と、該下部線材と該フレーム線材とに交互に当接する波形線材と、相対向する該下部線材の内側面に夫々設けられた上方を開口端とした断面コ字状、Ｕ字状又はＶ字状の一組のスライドレール部と、該スライドレール部に付設された固定具とを備える第１棚板部材及び前記第１棚板部材のスライドレール部に対応した幅の矩形状のフレーム線材と、該フレーム線材の縦横に架設された格子状線材と、該フレーム線材の他側端に接する２隅に設けられた下方に拡径する円筒状受部と、該２隅の円筒状受部に接する該フレーム線材の３側端から下方に略平行に離間し、前記第１棚板部材のスライドレール部に対応した高さに配設された下部線材と、該下部線材と該フレーム線材とに交互に当接する波形線材とを備える第２棚板部材からなり、該第１棚板部材のスライドレール部において該第２棚板部材の相対向する下部線材を摺動自在とし且つ所望位置で固定具によって固定自在とすることにより、棚板長さを伸縮自在としたことを特徴とする。
【０００８】
すなわち、線材棚板を第１棚板部材と第２棚板部材とに分離し、第１棚板部材にスライドレール部を設け、このスライドレール部で第２棚板部材を摺動自在とすることにより、棚板長さを伸縮自在としたものである。これによって、線材棚板を伸縮自在とすることができるので、組立棚の設置場所に合わせてサイズの調整が可能となる。また、従来の線材棚板と円筒状受部等の基本的構造は変わらないので、従来の線材棚板の利点を損なうことがなく、取り扱い等も同様なので汎用性も高い。
【０００９】
前記一組のスライドレール部の間に補強線材を横架してなることが好ましい。小型の棚板の場合は必ずしも必要ではないが、中型乃至大型の棚板の場合は、第１棚板部材と第２棚板部材の接合部分となるスライドレール部の剛性を高め、耐荷重性能を高めることができる。また、前記スライドレール部の長さは特に限定されないが、例えば前記第１棚板部材の全長の約２／３の長さを有することが好ましい。これより長くても特段の不都合は無いが、あまり長くても無駄な部分となるし見た目も悪い。これより短くても特段の不都合は無いが、あまり短いと剛性や耐荷重性能の点で不利である。
【００１０】
前記各線材は金属製線材であることが好ましい。剛性に優れているし、最も一般的だからである。また、前記固定具としては、第１棚板部材のスライドレール部に第２棚板部材の相対向する下部線材を固定できるものであれば特に限定されないが、製造コストや構造の容易性から、スライドレール部の下端面に螺着するネジであることが好ましい。
【００１１】
また、本考案の伸縮式組立棚は、外周面上の所定間隔毎に係合溝部が刻設された４本の長尺円筒状支柱と、該４本の長尺円筒状支柱の係合溝部に係合するように内周面に係合凸条を有し且つ外周面が下方に拡径された一組の短尺半円筒体（スリーブ半体）からなる複数の棚板支持用嵌着体（支持用スリーブ）と、前記本考案の伸縮式線材棚板とからなり、該４本の長尺円筒状支柱の所望位置に棚板支持用嵌着体を嵌着し、該嵌着した棚板支持用嵌着体に該伸縮式線材棚板の前記円筒状受部を夫々嵌入させることで、所望の段数の棚板を有する棚に組み立てることができると共に、棚板長さを伸縮自在としたことを特徴とする。これにより、組立棚全体としても組立棚の設置場所に合わせてサイズの調整が可能となる。
【考案の効果】
【００１２】
本考案によれば、組立棚用の線材棚板及び組立棚の高剛性、耐荷重性能、組立容易性等の優れた利点を損なうことなく、所望のサイズに伸縮自在とすることのできる組立棚用の伸縮式線材棚板及び組立棚を提供することができるという大きな効果を奏する。
【考案を実施するための最良の形態】
【００１３】
以下に本考案の実施の形態を添付図面に基づいて説明するが、本考案の技術思想から逸脱しない限りこれらの実施の形態について種々の変更又は変形が可能なことは言うまでもない。
【００１４】
図１は、本考案の組立棚用の伸縮式線材棚板の斜視説明図である。図２は、本考案の組立棚用の伸縮式線材棚板を示す正面説明図であり、図３は、図２の平面説明図（ａ）と底面説明図（ｂ）である。図４は、本考案の組立棚用の伸縮式線材棚板を伸ばした状態で示す平面説明図である。図５は、第１棚板部材を示す正面説明図であり、図６は、図５の右側面説明図（ａ）とＰ１部拡大説明図（ｂ）である。図７は、図５の平面説明図（ａ）と底面説明図（ｂ）である。図８は、第２棚板部材を示す正面説明であり、図９は、図８の平面側面図（ａ）と底面説明図（ｂ）である。図１０は、本考案の伸縮式組立棚を示す斜視説明図である。各図において、符号２は本考案の組立棚用の伸縮式線材棚板、符号４は第１棚板部材、符号６は第２棚板部材、符号５０は本考案の伸縮式組立棚である。なお、以下の説明では、各線材は金属製線材である場合を説明するが、小型の棚板であれば硬質プラスチック等を利用してもよい。また、各線材の太さは特に限定されないが、例えば直径２ｍｍ〜６ｍｍ程度である。
【００１５】
図１〜図４に示される如く、本考案の組立棚用の伸縮式線材棚板２は、第１棚板部材４と第２棚板部材６とを組み合わせて構成されており、第１棚板部材４が一方の２隅に円筒状受部８ａ，８ｂを有し、また、第２棚板部材６が他方の２隅に円筒状受部８ｃ，８ｄを有することにより、従来の線材棚板と同様に４隅に円筒状受部８ａ，８ｂ，８ｃ，８ｄを有するようになっている。
【００１６】
図５〜図７によく示される如く、第１棚板部材４は、矩形状フレーム線材２０の縦横に格子状（乃至網状）に複数本の格子状線材２２ａ，２２ｂを架設することによって、矩形棚部が形成されている。この矩形棚部の一側端に接する２隅、即ち、矩形状フレーム線材２０の長手方向左側の２隅に円筒状受部８ａ，８ｂが溶接により接合されている。この円筒状受部８ａ，８ｂは、従来と同様に、下方に拡径した形状をなし、図１０に示したように棚板支持用嵌着体５５（支持用スリーブ）に嵌入される部分である。
【００１７】
円筒状受部８ａ，８ｂに接する３側端、即ち、矩形状フレーム線材２０における３側端に存する線材２０ａ，２０ｂ，２０ｃの部分には、下方に離間して矩形状フレーム線材２０と略平行に下部線材２４ａ，２４ｂ，２４ｃが配設されている。また、下部線材２４ａ，２４ｂ，２４ｃとその上方の矩形状フレーム線材２０の対応する線材２０ａ，２０ｂ，２０ｃの部分との間には、両者に交互に当接するように波形線材２６ａ，２６ｂ，２６ｃが溶接されている。この下部線材２４ａ，２４ｂ，２４ｃと波形線材２６ａ，２６ｂ，２６ｃにより構成される部分を補強ブリッジともいい、線材棚板の剛性や耐荷重性能を担保するための部分である。
【００１８】
なお、矩形状フレーム線材２０における上記３側端以外の側端に存する線材２０ｄの部分には下部線材や波形線材は存在しない。後述するように第２棚板部材６の収納口となる部分であるため、開放端としておく必要があるからである。よって、図５に示されるように、下部線材２４ａは長手方向右側の端部が折曲部２４ａ１とされ、矩形状フレーム線材２０に溶接される。下部線材２４ａに相対向する下部線材２４ｂも同様である。
【００１９】
下部線材２４ａ，２４ｂ，２４ｃのうち相対向する下部線材２４ａ，２４ｂの内側面の夫々には一組のスライドレール部１０ａ，１０ｂが溶接されている。このスライドレール部１０ａ，１０ｂは上方を開口端とされた断面コ字状乃至Ｕ字状の長尺部材である。なお、上方を開口端とされた形状であればＶ字状でもよい。また、スライドレール部１０ａ，１０ｂの長さは特に限定されないが、例えば前記第１棚板部材４の全長の略２／３程度の長さを有する。これより長くても短くても特段の不都合は無いが、あまり長くても無駄であり、見た目も悪い。逆に、あまり短いと剛性や耐荷重性能の点で不利となる。
【００２０】
また、スライドレール部１０ａ，１０ｂの間に（図示例では４本の）補強線材２８を横架している。第１棚板部材４と第２棚板部材６の接合部分となるスライドレール部１０ａ，１０ｂの剛性を高め、耐荷重性能を高めるためである。補強線材２８の本数は特に限定はなく、小型の棚板であれば補強線材２８は無くてもよいし、スライドレール部１０ａ，１０ｂの長さや必要な剛性等に応じて０〜１０本程度の間で適宜増減すればよい。
【００２１】
更に、スライドレール部１０ａ，１０ｂには固定具を付設する。スライドレール部１０ａ，１０ｂに第２棚板部材６を固定するためのものである。図示例では固定具として製造コストや構造の容易性からスライドレール部１０ａ，１０ｂの下端面に螺着するネジ１２を示したが、固定できさえすればその他クリップ等であってもよい。
【００２２】
図８及び図９によく示される如く、第２棚板部材６は、矩形状フレーム線材３０の縦横に格子状（乃至網状）に複数本の格子状線材３２ａ，３２ｂを架設することによって、矩形棚部が形成されている。矩形棚部の他側端に接する２隅、即ち、矩形状フレーム線材３０の長手方向右側の２隅に円筒状受部８ｃ，８ｄが溶接により接合されている。この円筒状受部８ｃ，８ｄは、従来と同様に、下方に拡径した形状をなし、図１０に示したように棚板支持用嵌着体５５（支持用スリーブ）に嵌入される部分である。
【００２３】
ここで、第２棚板部材６における矩形棚部は、第１棚板部材４のスライドレール部１０ａ，１０ｂに対応した幅であることが必要であるので、矩形状フレーム線材３０は、第１棚板部材４の矩形状フレーム線材２０よりも数ｃｍ幅が小さい。例えば、第１棚板部材４の矩形状フレーム線材２０の横幅が４６ｃｍ程度の場合には、第２棚板部材６の矩形状フレーム線材３０の横幅は４４ｃｍ程度となる。そのため、伸縮式線材棚板２を全体で見た場合の４隅のバランスを考慮して、第１棚板部材４の矩形状フレーム線材２０に対する円筒状受部８ａ，８ｂの溶接位置と、第２棚板部材６の矩形状フレーム線材３０に対する円筒状受部８ｃ，８ｄの溶接位置とでは若干異なるようにする。即ち、第１棚板部材４の矩形状フレーム線材２０は円筒状受部８ａ，８ｂの最外周の部分で溶接する（図７参照）のに対し、第２棚板部材６の矩形状フレーム線材３０はこれよりも若干内側の部分で円筒状受部８ｃ，８ｄに対して溶接する（図９参照）。これにより、伸縮式線材棚板２を全体で見た場合の４隅が台形にならずに長方形になる（図３参照）。
【００２４】
円筒状受部８ｃ，８ｄに接する３側端、即ち、矩形状フレーム線材３０における３側端に存する線材３０ａ，３０ｂ，３０ｄの部分には、下方に離間して矩形状フレーム線材３０と略平行に下部線材３４ａ，３４ｂ，３４ｄが配設されている。また、下部線材３４ａ，３４ｂ，３４ｄとその上方の矩形状フレーム線材３０の対応する線材３０ａ，３０ｂ，３０ｄの部分との間には、両者に交互に当接するように波形線材３６ａ，３６ｂ，３６ｄが溶接されている。この下部線材３４ａ，３４ｂ，３４ｄと波形線材３６ａ，３６ｂ，３６ｄにより構成される部分を補強ブリッジともいい、線材棚板の剛性や耐荷重性能を担保するための部分であるが、特に、相対向する下部線材３４ａ，３４ｂ及びこれに接合する波形線材３６ａ，３６ｂからなる部分は、上記した第１棚板部材４のスライドレール部１０ａ，１０ｂに摺動自在に収納される部分であるから、これに対応した高さである必要があり、例えば、第１棚板部材４においてスライドレール部１０ａ，１０ｂから矩形状フレーム線材２０までの高さが３ｃｍ程度ある場合には、第２棚板部材６における下部線材３４ａ，３４ｂから矩形状フレーム線材３０までの高さは２ｃｍ程度とする。
【００２５】
なお、矩形状フレーム線材３０における上記３側端以外の側端に存する線材３０ｃの部分には下部線材や波形線材は存在しない。第１棚板部材４に収納される部分であるため、開放端としておく必要があるからである。よって、図８に示されるように、下部線材３４ａは長手方向左側の端部が折曲部３４ａ１とされ、矩形状フレーム線材３０に溶接される。下部線材３４ａに相対向する下部線材３４ｂも同様である。
【００２６】
そして、このように構成された第１棚板部材４と第２棚板部材６を組み合わせて、本考案の組立棚用の伸縮式線材棚板２を構成する。即ち、図１〜図４に示した如く、第１棚板部材４のスライドレール部１０ａ，１０ｂに、第２棚板部材６の相対向する下部線材３４ａ，３４ｂ及びこれに接合する波形線材３６ａ，３６ｂからなる部分を摺動自在に収納し、所望位置で固定具であるネジ１２を螺入して固定することにより、棚板長さを伸縮自在である。これにより、組立棚の設置場所に合わせてサイズの調整が可能となり、例えば、図３に示したように長さを縮めた状態とすることもできるし、図４に示したように長さを伸ばした状態とすることもできる。
【００２７】
次に、本考案の伸縮式組立棚５０は、上記本考案の組立棚用の伸縮式線材棚板２を用いた組立棚である。従来の組立棚との相違点は、本考案の組立棚用の伸縮式線材棚板２を用いた点であり、その他の構成は従来の組立棚と同様であるので、従来の組立棚と同様の部分についての詳細なる説明は省略するが、図１０に示したように、外周面上の所定間隔毎に係合溝部５３が刻設された４本の長尺円筒状支柱５２に、この４本の長尺円筒状支柱５２の係合溝部５３に係合するように内周面に係合凸条を有し且つ外周面が下方に拡径された一組の短尺半円筒体（スリーブ半体）からなる複数の棚板支持用嵌着体５５（支持用スリーブ）を所望位置で嵌着せしめ、この嵌着した棚板支持用嵌着体５５に上記本考案の組立棚用の伸縮式線材棚板２における４隅の円筒状受部８ａ，８ｂ，８ｃ，８ｄを夫々嵌入させることによって、所望の段数の棚板を有する棚に組み立てることができると共に、棚板長さを伸縮自在とすることのできるものである。本考案の伸縮式組立棚５０によれば、組立棚の設置場所に合わせてサイズの調整が可能となる上に、組立等の取り扱いは従来の線材棚板を用いた組立棚と同様であり、剛性や耐荷重性能も劣らないので極めて利便性の高いものとなる。
【図面の簡単な説明】
【００２８】
【図１】本考案の組立棚用の伸縮式線材棚板の斜視説明図である。
【図２】本考案の組立棚用の伸縮式線材棚板を示す正面説明図である。
【図３】図２の平面説明図（ａ）と底面説明図（ｂ）である。
【図４】本考案の組立棚用の伸縮式線材棚板を伸ばした状態で示す平面説明図である。
【図５】第１棚板部材を示す正面説明図である。
【図６】図５の右側面説明図（ａ）とＰ１部拡大説明図（ｂ）である。
【図７】図５の平面説明図（ａ）と底面説明図（ｂ）である。
【図８】第２棚板部材を示す正面説明である。
【図９】図８の平面側面図（ａ）と底面説明図（ｂ）である。
【図１０】本考案の伸縮式組立棚を示す斜視説明図である。
【符号の説明】
【００２９】
２：本考案の伸縮式線材棚板、４：第１棚板部材、６：第２棚板部材、８ａ，８ｂ，８ｃ，８ｄ：円筒状受部、１０ａ，１０ｂ：スライドレール部、１２：ネジ（固定具）、２０，２０ａ，２０ｂ，２０ｃ：矩形状フレーム線材、２２ａ，２２ｂ：格子状線材、２４ａ，２４ｂ，２４ｃ：下部線材、２４ａ１：折曲部、２６ａ，２６ｂ，２６ｃ：波形線材、２８：補強線材、３０ａ，３０ｂ，３０ｄ，３０：矩形状フレーム線材、３２ａ，３２ｂ：格子状線材、３４ａ，３４ｂ，３４ｄ：下部線材、３４ａ１：折曲部、３６ａ，３６ｂ，３６ｄ：波形線材、５０：伸縮式組立棚、５２：長尺円筒状支柱、５３：係合溝部、５５：棚板支持用嵌着体（支持用スリーブ）。
【図１】
0003103279.tif 000003
【図２】
0003103279.tif 000004
【図３】
0003103279.tif 000005
【図４】
0003103279.tif 000006
【図５】
0003103279.tif 000007
【図６】
0003103279.tif 000008
【図７】
0003103279.tif 000009
【図８】
0003103279.tif 000010
【図９】
0003103279.tif 000011
【図１０】
0003103279.tif 000012